(57)【要約】【課題】部品工数を低減でき生産性を向上させた遊技機を提供することを目的とする。【解決手段】このパチンコ機は、レンズ用基板４３が取り付けられる飾りレンズ２８と、この飾りレンズ２８とレンズ用基板４３とを嵌合させる嵌合部７０とを備えているので、嵌合部７０により飾りレンズ２８とレンズ用基板４３とを嵌合させることができ、レンズ用基板４３を飾りレンズ２８に取り付けることができる。したがって、飾りレンズ２８とレンズ用基板４３とをネジ止めにより締結させて取り付けるという作業を不要にでき、当該ネジ止め作業の煩雑さを解消することができ、飾りレンズ２８とレンズ用基板４３とをネジ止めするためのネジ，ナットなどの締結部品を不要にできることから、部品工数を低減することができる。その結果、部品工数を低減でき生産性を向上させた遊技機を提供できる。【選択図】図７
2010137104.tif 000002
【特許請求の範囲】
【請求項１】
発光手段を備えた遊技機において、
前記発光手段が取り付けられる取り付け部材と、
前記取り付け部材と前記発光手段とを嵌合させる嵌合手段と
を備えていることを特徴とする遊技機。
【発明の詳細な説明】
【技術分野】
【０００１】
本発明は、パチンコ機等の遊技機に関する。
【背景技術】
【０００２】
従来、遊技機の代表例としてはパチンコ機がある。このパチンコ機は、始動口に球が入賞したことに起因して、図柄変動表示装置（可変表示装置）としての液晶表示装置の表示画面上に表示された所定列の図柄を変動表示させ、その変動表示が停止した結果が所定の表示態様となった場合に大当り状態となるものがある。また、この可変表示装置の表示画面の周囲を囲むようにして樹脂製のセンターフレームが設けられている。
【０００３】
このセンターフレームには、例えば装飾用ランプが設けられている。この装飾用ランプは、所定位置に発光ダイオードが配設された基板と、この発光ダイオードからの光を拡散させて出射するためのレンズとなどから構成されている。装飾用ランプは、例えば遊技状態に応じて点灯されるようになっている。
【発明の開示】
【発明が解決しようとする課題】
【０００４】
しかしながら、このような構成を有する従来例の場合には、次のような問題がある。
【０００５】
すなわち、従来のパチンコ機では、センターフレームに装飾用ランプを以下のようにして取り付けている。例えば、発光ダイオードが配設された基板にレンズをネジ止めにより取り付けた後、それをセンターフレームの所定位置にネジ止めにより取り付ける必要があることから、ネジ止め作業が煩雑であるという問題がある。また、前述したように取り付けにネジが必要であり、センターフレームには複数個の装飾用ランプが取り付けられることもあって、部品工数が多いという問題もある。その結果、遊技機の生産性をこれ以上高めることができない。
【０００６】
本発明は、このような事情に鑑みてなされたものであって、部品工数を低減でき生産性を向上させた遊技機を提供することを目的とする。
【課題を解決するための手段】
【０００７】
本発明は、このような目的を達成するために、次のような構成をとる。
【０００８】
すなわち、請求項１に記載の発明は、
発光手段を備えた遊技機において、
前記発光手段が取り付けられる取り付け部材と、
前記取り付け部材と前記発光手段とを嵌合させる嵌合手段と
を備えていることを特徴とするものである。
【０００９】
（作用・効果）請求項１に記載の発明によれば、発光手段を備えた遊技機において、発光手段が取り付けられる取り付け部材と、この取り付け部材と発光手段とを嵌合させる嵌合手段とを備えているので、嵌合手段により取り付け部材と発光手段とを嵌合させることができ、発光手段を取り付け部材に取り付けることができる。したがって、取り付け部材と発光手段とをネジ止めにより締結させて取り付けるという作業を不要にでき、当該ネジ止め作業の煩雑さを解消することができる。しかも、取り付け部材と発光手段とをネジ止めするためのネジ，ナットなどの締結部品を不要にできることから、部品工数を低減することができる。その結果、部品工数を低減でき生産性を向上させた遊技機を提供できる。
【発明の効果】
【００１０】
以上の説明から明らかなように、発光手段が取り付けられる取り付け部材と、この取り付け部材と発光手段とを嵌合させる嵌合手段とを備えているので、嵌合手段により取り付け部材と発光手段とを嵌合させることができ、発光手段を取り付け部材に取り付けることができる。したがって、取り付け部材と発光手段とをネジ止めにより締結させて取り付けるという作業を不要にでき、当該ネジ止め作業の煩雑さを解消することができる。しかも、取り付け部材と発光手段とをネジ止めするためのネジ，ナットなどの締結部品を不要にできることから、部品工数を低減することができる。その結果、部品工数を低減でき生産性を向上させた遊技機を提供できる。
【図面の簡単な説明】
【００１１】
【図１】本発明の実施例のパチンコ機の概略正面図である。
【図２】パチンコ機の遊技盤の概略正面図である。
【図３】実施例のパチンコ機のセンターフレームの概略斜視図である。
【図４】背面方向から視たセンターフレームの分解斜視図である。
【図５】実施例のセンターフレームの背面部分を構成する基板取付枠の背面図である。
【図６】実施例の飾りレンズおよびレンズ用基板の背面方向から見た分解斜視図である。
【図７】レンズ用基板が取り付けられた飾りレンズを斜め後方から見た概略斜視図である。
【図８】本実施例とは別の実施例の取り付け部材を説明する概略側面図である。
【図９】本実施例とは別の実施例の取り付け部材を説明する概略側面図である。
【図１０】本実施例とは別の実施例の取り付け部材を説明する概略側面図である。
【発明を実施するための形態】
【００１２】
以下、図面を参照して本発明の実施例を説明する。
【００１３】
本実施例では、遊技機の一例として弾球遊技機の一種であるパチンコ機、特に、第１種パチンコ遊技機を用いて説明する。なお、本発明を第３種パチンコ遊技機（権利物とも呼ばれる）等の他の遊技機に用いることは、当然に可能である。
【００１４】
図１は、実施例のパチンコ機の概略正面図であり、図２はパチンコ機の遊技盤の概略正面図である。本実施例のパチンコ機Ｐは、図１に示すように、遊技盤１と、球を貯留する上受け皿２および下受け皿３と、球を遊技盤１へ発射するための発射ハンドル４とを備えている。遊技盤１は、前面枠１ａに嵌め込まれたガラス製の透明板１ｂに覆われている。
【００１５】
図２に示すように、パチンコ機Ｐの遊技盤１には、作動口５及び大入賞口６が設けられており、遊技盤１は遊技領域を構成している。作動口５は、遊技球Ｂの通路を備えており、その通路入口には羽根７が開閉可能に支持されている。
【００１６】
また、大入賞口６の前には、シャッタ８が設けられている。このシャッタ８は、大入賞口６の側部に設けられた図示しない大入賞口用ソレノイドにより作動させられ、大入賞口６を開閉する。詳しくは、当該ソレノイドが励磁状態となることにより、シャッタ８が略水平に傾き、これにより大入賞口６が開かれる。また、ソレノイドが非励磁状態となることにより、シャッタ８が略垂直状態となり、これにより大入賞口６は閉鎖される。
【００１７】
遊技盤１の中央部分（大入賞口６の上方）には、可変表示装置としての特別図柄表示装置（以下、単に「表示装置」という）９が組込まれている。表示装置９は、液晶ディスプレイ（ＬＣＤ）よりなる表示部９ａを備えており、ここに複数の（例えば３つの）図柄列が表示される。図柄列は、基本的には、複数種類の図柄によって構成されている。これらの図柄は、特別遊技図柄としての大当たり図柄、外れリーチ図柄及び外れ図柄のいずれかになりうる。
【００１８】
表示装置９の表示部９ａでは、各図柄列の図柄変動（回転変動）が、遊技球Ｂの作動口５への入賞に基づいて開始させられる。また、大当たり図柄、外れリーチ図柄、外れ図柄の中から１つが選択され、これが停止図柄として設定される。停止図柄とは、各図柄列が図柄変動を停止したときに表示される図柄である。
【００１９】
大当たり図柄は、いわゆるリーチ状態を経た後、遊技者に有利な大当たり状態を発生させるための図柄である。詳しくは、全ての図柄列の変動が停止させられたとき、表示されている図柄の組合せが、予め定められた大当たりの組合せ、すなわち、同一種類の図柄が大当たりラインに沿って並んでいるときの同図柄の組合せ（例えば、「７」、「７」、「７」の図柄）となる場合がある。この組合せを構成する図柄が「大当たり図柄」である。大当たりの組合せが成立すると、特別電動役物が作動し（大入賞口６が開かれ）、遊技者にとって有利な大当たり状態の到来、すなわち、より多くの賞球を獲得することが可能となる。
【００２０】
表示装置９において、表示部９ａの上方には、発光ダイオード（ＬＥＤ）からなる保留ランプ１０ａ，１０ｂ，１０ｃ，１０ｄが組み込まれている。保留ランプ１０ａ〜１０ｄは、基本的には作動口５への入賞に基づく変動表示の保留毎に点灯させられ、その保留に対応した変動表示の実行に伴い消灯させられる。さらに、パチンコ機Ｐには、遊技の進行に応じて効果音を発生する図示しないスピーカが設けられている。
【００２１】
このほかにも、パチンコ機Ｐの複数箇所には、遊技効果を高めるための各種ランプが取り付けられている。これらのランプは、例えばランプ風車１１、上部ランプ飾り１２（図１参照）、下部ランプ飾り１３等からなり、遊技の進行に応じて点灯状態（消灯、点灯、点滅等）が適宜変えられるようになっている。なお、上部ランプ飾り１２には、遊技者に球切れ状態や入賞状態を報知すべく、球切れランプ及び入賞ランプなどが内蔵されている。
【００２２】
本実施例のパチンコ機Ｐでは、遊技者の操作に応じて変化するパチンコ機Ｐの遊技状態を検出するべく、遊技盤１には、種々の検出スイッチが取り付けられている。これら検出スイッチにより、遊技球Ｂの作動口５への入賞や、大入賞口６への入賞が検出されるようになっている。また、本実施の形態では、各検出スイッチの検出結果に基づきソレノイドや、表示装置９、各保留ランプ１０ａ〜１０ｄ、各種ランプ１１〜１３、スピーカ等をそれぞれ駆動制御するために制御装置が設けられている。制御装置は、読み出し専用メモリ（ＲＯＭ）、中央処理装置（ＣＰＵ）、ランダムアクセスメモリ（ＲＡＭ）等を備えている。ＲＯＭは所定の制御プログラムや初期データを予め記憶しており、ＣＰＵはＲＯＭの制御プログラム等に従って各種演算処理を実行する。
【００２３】
ここで、本発明の特徴部分の１つである構成について、図３を用いて以下に説明する。図３は、実施例のパチンコ機のセンターフレームの概略斜視図である。
【００２４】
図２に示すように、上述した表示装置９は、表示部９ａの前方において、この表示部９ａを囲むようにして設けられたセンターフレーム２１を有している。このセンターフレーム２１は、特別遊技領域を構成しており、後部において表示装置９が取り付けられるようになっている。図３に示すように、センターフレーム２１は、天井部２３、左右両側の側部２４及び下部２５を有している。
【００２５】
まず、天井部２３について説明する。図３に示すように、天井部２３の中央部には透明な天飾り２６が設けられ、その天飾り２６の後部（奥側）には遊技球Ｂが案内されうる入口部２７が２つ左右方向に並べて設けられている。天井部２３の入口部２７以外の箇所に当たった遊技球Ｂは、この天井部２３により左右両側方へと案内されるようになっている。
【００２６】
続いて、下部２５について説明する。下部２５の上面は、第１ステージ２９となっており、天井部２３の入口部２７に入力された遊技球Ｂが後述する遊技球通路３１を通ってこの第１ステージ２９上に供給されるようになっている。また、この第１ステージ２９の下方位置には、第２ステージ３０が設けられていて、第１ステージ２９からの遊技球Ｂが第２ステージ３０に供給されるようになっている。つまり、この第１，第２ステージ２９，３０は、上下方向に二段に並設されている。なお、第１，第２ステージ２９，３０は、これらのステージにおける遊技球Ｂの挙動が遊技者により視認できるようになっている。
【００２７】
さらに、左右両側の側部２４について説明する。天井部２３から左右両側の側部２４にかけて、入口部２７及び第１ステージ２９間を連通する遊技球通路３１が形成されている。この遊技球通路３１は、天井部２３に設けられた第１遊技球通路３２と、側部２４に設けられて、第１遊技球通路３２からの遊技球Ｂが入力されて第１ステージ２９上に出力する第２遊技球通路３３とを備えている。第１遊技球通路３２は、遊技者が通過中の遊技球Ｂを視認できるよう透明部材で覆われるようにして構成されている。第２遊技球通路３３は、遊技者が通過中の遊技球Ｂを視認困難となるようカバーで覆われるようにして構成されている。従って、入口部２７に入った遊技球Ｂは、図３に破線で示すように、第１遊技球通路３２を通り（このとき、遊技球Ｂの視認が可能となっている）、そして第２遊技球通路３３を通って（このとき、一時的に遊技球Ｂの視認が困難となる）、第１ステージ２９上へと案内される。なお、図３では、センターフレーム２１の左側の遊技球通路３１（第１遊技球通路３２と第２遊技球通路３３とからなる）での遊技球Ｂの通過経路を破線で示しているが、センターフレーム２１の右側の遊技球通路３１での遊技球Ｂの通過経路についても同様となっているため破線での表示を省略している。なお、表示装置９の両側には飾りレンズ２８が設けられている。
【００２８】
ここで、上述したセンターフレーム２１の構成について、図４を用いて詳細に説明する。図４は、背面方向から見たセンターフレームの分解斜視図である。なお、図４では、主たる構成のみを図示し、ネジ等については図示を省略する。
【００２９】
図４に示すように、センターフレーム２１は、大別すると、中央部がそれぞれ開口されたベース枠３４と基板取付枠３５とから構成される。ベース枠３４の前面は薄板状の平板３６となっており、平板３６の背面側が遊技盤１（図１，図２参照）に取り付けられ、ベース枠３４における平板３６よりも背面側は遊技盤１の盤面よりも背面側に取り付けられる。すなわち、平面３６は、遊技盤１の盤面よりもその厚み分だけ僅かに突出しており、平面３６よりも前面側にある第１遊技球通路３２も遊技盤１の盤面よりも突出することになる。
【００３０】
ベース枠３４の内枠部分は、左右両側の側部２４では、上述した第２遊技球通路３３を構成しており、下部２５では、中央部分が凹状に窪んだ載置部３７を構成している。載置部３７は、凹状に窪んだ中央部分において第２ステージ３０を載置するとともに、それ以外の左右部分において第１ステージ２９を載置する。
【００３１】
基板取付枠３５は、天井部２３と左右両側の側部２４とに、さらなる開口部がそれぞれ設けられている。すなわち、天井部２３には、前後方向に積層して配設された積層構造の第１〜第４基板３８〜４１を基板取付枠３５に取り付けるための積層構造基板用の開口部４２が、左右両側の側部２４には、上述した飾りレンズ２８とその飾りレンズ２８を点灯制御するレンズ用基板４３とを取り付けるためのレンズ用の開口部４４がそれぞれ設けられている。
【００３２】
次に、基板取付枠３５の背面側に設けられる各々の基板３８〜４１について、図５も用いて説明する。図５は、基板取付枠の背面図である。図５に示すように、各々の基板３８〜４１は、背面方向に第１基板３８，第２基板３９，第３基板４０，および第４基板４１の順に配設して構成されている。なお、第１基板３８および第２基板３９については、図５では図示を省略している。また、本実施例の場合、パチンコ機Ｐの組立あるいは解体を行う作業者は背面側から行うので、作業者から見ると、手前側の基板が背面側に位置することになる。
【００３３】
また、図４に示した基板３８〜４１，４３は、相互に電気的に接続可能に構成されている。すなわち、これらの基板３８〜４１，４３を相互に電気的に接続する電気接続部は、各基板３８〜４１，４３間で信号を送受信するケーブル（図示省略）と、そのケーブルに接続されたコネクタ４５とからそれぞれなり、各々のコネクタ４５は、各々の基板３８〜４１，４３の積層面に取り付けられている。これらのコネクタ４５は、各々の基板３８〜４１，４３に対して着脱自在に構成されている。
【００３４】
次に、飾りレンズ２８およびレンズ用基板４３について、図６，図７も用いて詳細に説明する。図６は、飾りレンズ２８およびレンズ用基板４３の背面方向から見た分解斜視図である。図７は、レンズ用基板４３が取り付けられた飾りレンズ２８を斜め後方から見た概略斜視図である。
【００３５】
図６，図７に示すように、飾りレンズ２８は、その正面側がパチンコ機Ｐの正面側となるように配設される。また、この飾りレンズ２８の背面側には、レンズ用基板４３が取り付けられている。なお図５では、飾りレンズ２８がレンズ用基板４３に隠れて見えないため飾りレンズ２８の図示を省略している。
【００３６】
図６，図７に示すように、飾りレンズ２８は、正面視で円弧状であり、その円弧線に直交する方向での断面形状が半円状である略蒲鉾型のレンズ部５１と、このレンズ部５１の両端にそれぞれに垂設するようにして設けられる、レンズ部５１を支持するための脚部６１とが一体成形されて構成されている。
【００３７】
レンズ部５１の背面側で両端側には、後述する発光ダイオード４６から出射された光が導入される導入穴５２がそれぞれ形成されている。レンズ部５１の背面側の所定箇所（レンズ部５１の背面側で両端側を除く大部分）には、導入穴５２に入射された光をレンズ部５１内で均一に拡散させてその正面側から出射させるための、断面視で例えば三角状の凹凸部５３が形成されている。
【００３８】
各脚部６１は、レンズ部５１から垂設される垂設部６２と、この垂設部６２から水平方向に突出した止め部６３とを備えている。止め部６３には、ネジ４７が挿入される貫通孔６４が形成されている。
【００３９】
レンズ用基板４３は、所定の回路パターンが形成されたプリント配線基板であり、正面視で円弧状となっている。レンズ用基板４３は、その正面側で両端の各位置に発光ダイオード４６が１つずつそれぞれ実装されており、その背面側にはコネクタ４５が実装されている。
【００４０】
さらに、飾りレンズ２８およびレンズ用基板４３は、それらを嵌合させるための嵌合部７０を備えている。すなわち、飾りレンズ２８の脚部６１の垂設部６２の所定箇所には、凹部７１が形成されており、レンズ用基板４３の両端には、その両端から外方向に突出した凸部７２が形成されており、飾りレンズ２８の脚部６１の凹部７１にレンズ用基板４３の凸部７２が嵌合可能となっている。そして、飾りレンズ２８の各脚部６１の凹部７１に、レンズ用基板４３の対応する凸部７２をそれぞれ嵌合させた状態にすると、レンズ用基板４３は飾りレンズ２８の両脚部６１で挟み込まれた状態となり、レンズ用基板４３は飾りレンズ２８にネジ止めに依らず保持されることになる。つまり、上述した嵌合部７０により、レンズ用基板４３は飾りレンズ２８に対して着脱自在となっており、レンズ用基板４３を飾りレンズ２８に保持されることができる。
【００４１】
なお、図６に示すように、飾りレンズ２８の両端の各止め部６３の貫通孔６４に、その背面側からネジ４７を通し、このネジ４７をセンターフレーム２１のレンズ用の開口部４４の所定位置に形成されたネジ穴４８（図４参照）に締結することで、飾りレンズ２８がセンターフレーム２１のレンズ用の開口部４４に取り付けられるようになっている。
【００４２】
なお、上述したレンズ用基板４３が本発明における発光手段に相当し、上述した飾りレンズ２８が本発明における取り付け部材に相当し、上述した嵌合部７０が本発明における嵌合手段に相当し、上述したレンズ部５１が本発明におけるレンズ部材に相当し、上述した発光ダイオード４６が本発明における発光部に相当し、上述した表示装置９が本発明における図柄変動表示装置に相当し、上述したセンターフレーム２１が本発明における枠体に相当する。
【００４３】
ここで、本実施例のセンターフレーム２１に飾りレンズ２８を取り付ける取り付け作業について説明する。
【００４４】
図６に示すように、作業者は、飾りレンズ２８の一方の脚部６１の凹部７１に、レンズ用基板４３の対応する凸部７２を嵌め込む。そして、この状態で飾りレンズ２８の脚部６１の相互間を僅かに広げるように力を加えるとともに、飾りレンズ２８の他方の脚部６１の凹部７１に、レンズ用基板４３の対応する凸部７２を嵌め込む。こうすることで、図７に示すように、レンズ用基板４３は、飾りレンズ２８の両脚部６１で挟み込まれて強固に保持された状態となる。
【００４５】
次に、前述したようにレンズ用基板４３が取り付けられた飾りレンズ２８（図７参照）を、センターフレーム２１のレンズ用の開口部４４に取り付ける。つまり、レンズ用基板４３が取り付けられた飾りレンズ２８の各脚部６１の止め部６３の貫通孔６４に、その背面側からネジ４７を通し、このネジ４７をセンターフレーム２１のレンズ用の開口部４４の所定位置のネジ穴４８に締結させて、飾りレンズ２８をセンターフレーム２１のレンズ用の開口部４４に取り付ける。以上によって、センターフレーム２１への飾りレンズ２８の取り付け作業が完了する。
【００４６】
上述したように本実施例のパチンコ機Ｐによれば、レンズ用基板４３が取り付けられる飾りレンズ２８と、この飾りレンズ２８とレンズ用基板４３とを嵌合させる嵌合部７０とを備えているので、嵌合部７０により飾りレンズ２８とレンズ用基板４３とを嵌合させることができ、レンズ用基板４３を飾りレンズ２８に取り付けることができる。したがって、飾りレンズ２８とレンズ用基板４３とをネジ止めにより締結させて取り付けるという作業を不要にでき、当該ネジ止め作業の煩雑さを解消することができる。しかも、飾りレンズ２８とレンズ用基板４３とをネジ止めするためのネジ，ナットなどの締結部品を不要にできることから、部品工数を低減することができる。その結果、部品工数を低減でき生産性を向上させた遊技機を提供できる。
【００４７】
また、嵌合部７０は、飾りレンズ２８に凹部７１を形成し、レンズ用基板４３に飾りレンズ２８の凹部７１と嵌合可能な凸部７２を形成したものとしているので、飾りレンズ２８の凹部７１にレンズ用基板４３の凸部７２を嵌合させることで、レンズ用基板４３を飾りレンズ２８に取り付けることができる。
【００４８】
また、飾りレンズ２８は、凹部７１が形成された２個の脚部６１を有し、脚部６１の凹部７１にレンズ用基板４３の凸部７２を嵌合させることで、飾りレンズ２８の脚部６１でレンズ用基板４３を挟み込むものとしているので、飾りレンズ２８は、レンズ用基板４３を強固に保持することができ、レンズ用基板４３の着脱の際には飾りレンズ２８の脚部６１間を僅かに広げるように力をかけることでレンズ用基板４３の着脱が容易にできる。
【００４９】
また、レンズ用基板４３は、発光ダイオード４６が所定位置に配設された基板であるとしているので、レンズ用基板４３つまり発光ダイオード４６が所定位置に配設された基板と、飾りレンズ２８とを嵌合部７０により嵌合させることができ、レンズ用基板４３を飾りレンズ２８に取り付けることができる。
【００５０】
また、飾りレンズ２８は、表示装置９の表示部９ａ（表示画面）の周囲を覆うようにして取り付けられるセンターフレーム２１の所定位置に取り付けられるので、レンズ用基板４３が嵌合部７０により嵌合された飾りレンズ２８をセンターフレーム２１の所定位置に取り付けるだけでよい。つまり、嵌合部７０により飾りレンズ２８とレンズ用基板４３とを嵌合させることができ、飾りレンズ２８とレンズ用基板４３とをネジ止めにより締結させて取り付けるという作業を不要にでき、当該ネジ止め作業の煩雑さを解消することができる。しかも、飾りレンズ２８とレンズ用基板４３とをネジ止めするためのネジ，ナットなどの締結部品を不要にできることから、部品工数を低減することができる。その結果、部品工数を低減でき生産性を向上させた遊技機を提供できる。
【００５１】
本発明は、上記実施形態に限られることはなく、下記のように変形実施することができる。
【００５２】
＜１＞上述の実施例では、嵌合部７０は、飾りレンズ２８に凹部７１を形成し、レンズ用基板４３に飾りレンズ２８の凹部７１と嵌合可能な凸部７２を形成したものとしているが、嵌合部７０は、飾りレンズ２８に凸部７２を形成し、レンズ用基板４３に飾りレンズ２８の凸部７２と嵌合可能な凹部７１を形成したものとしてもよい。
【００５３】
＜２＞上述の実施例では、飾りレンズ２８の２個の脚部６１の間にレンズ用基板４３を挟み込むようにしているが、飾りレンズ２８の脚部６１をさらに複数個とし、これらの脚部６１の間にレンズ用基板４３を挟み込むようにしてもよい。
【００５４】
＜３＞上述の実施例では、レンズ用基板４３を飾りレンズ２８に嵌合により取り付けているが、飾りレンズ２８をレンズ用基板４３に嵌合により取り付けるようにしてもよい。
【００５５】
＜４＞上述の実施例では、発光部として発光ダイオード４６を採用しているが、７セグメントＬＥＤ（発光ダイオード）など各種の発光電子部品、発光素子などを採用するようにしてもよい。
【００５６】
＜５＞上述の実施例では、取り付け部材としてレンズ部５１を採用しているが、発光手段（例えば発光ダイオード４６）からの光を導光する各種の導光部材を採用するようにしてもよい。
【００５７】
＜６＞上述の実施例では、取り付け部材としてレンズ部５１を採用しているが、図８に示すように、発光手段（例えば発光ダイオード４６）からの光を透過する透過性部材８１を採用するようにしてもよい。
【００５８】
また、図９に示すように、本発明における基板（例えばレンズ用基板４３）と嵌合させた状態におけるこのレンズ用基板４３の発光ダイオード４６の対応する箇所に貫通孔８２を有し、発光ダイオード４６からの光を貫通孔８２を通じて直接に外部に出射する部材８３としてもよい。
【００５９】
また、図１０に示すように、本発明における基板（例えばレンズ用基板４３）と嵌合させた状態におけるこのレンズ用基板４３の発光ダイオード４６の対応する箇所に貫通孔８４を有し、この貫通孔８４に発光ダイオード４６を挿入させてこの発光ダイオード４６からの光を直接に外部に出射するための部材８５としてもよい。
【００６０】
＜７＞本発明を上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【００６１】
なお、スロットマシンは、例えばコインを投入して図柄有効ラインを決定させた状態で操作レバーを操作することにより図柄が変動され、ストップボタンを操作することにより図柄が停止されて確定されるものである。従って、スロットマシンの基本概念としては、「複数の図柄からなる図柄列を変動表示した後に図柄を確定表示する可変表示手段を備え、始動用操作手段（例えば操作レバー）の操作に起因して図柄の変動が開始され、停止用操作手段（例えばストップボタン）の操作に起因して、あるいは、所定時間経過することにより、図柄の変動が停止され、その停止時の確定図柄が特定図柄であることを必要条件として、遊技者に有利な特別遊技状態を発生させる特別遊技状態発生手段とを備えたスロットマシン」となり、この場合、遊技媒体はコイン、メダル等が代表例として挙げられる。
【００６２】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【００６３】
なお、本明細書は、次のような遊技機に係る発明も開示している。
【００６４】
（０）発光手段を備えた遊技機において、
前記発光手段が取り付けられる取り付け部材と、
前記取り付け部材と前記発光手段とを嵌合させる嵌合手段と
を備えていることを特徴とする遊技機。
【００６５】
前記（０）に記載の発明によれば、発光手段を備えた遊技機において、発光手段が取り付けられる取り付け部材と、この取り付け部材と発光手段とを嵌合させる嵌合手段とを備えているので、嵌合手段により取り付け部材と発光手段とを嵌合させることができ、発光手段を取り付け部材に取り付けることができる。したがって、取り付け部材と発光手段とをネジ止めにより締結させて取り付けるという作業を不要にでき、当該ネジ止め作業の煩雑さを解消することができる。しかも、取り付け部材と発光手段とをネジ止めするためのネジ，ナットなどの締結部品を不要にできることから、部品工数を低減することができる。その結果、部品工数を低減でき生産性を向上させた遊技機を提供できる。
【００６６】
（１）  前記（０）に記載の遊技機において、
前記嵌合手段は、前記発光手段または前記取り付け部材の一方に凹部を形成し、その他方に前記凹部と嵌合可能な凸部を形成したものであることを特徴とする遊技機。
【００６７】
前記（１）に記載の発明によれば、嵌合手段は、発光手段または取り付け部材の一方に凹部を形成し、その他方に凹部と嵌合可能な凸部を形成したものとしているので、発光手段または取り付け部材の一方に形成された凹部に、その他方に形成された凸部を嵌合させることで、発光手段を取り付け部材に取り付けることができる。したがって、取り付け部材と発光手段とをネジ止めにより締結させて取り付けるという作業を不要にでき、当該ネジ止め作業の煩雑さを解消することができる。しかも、取り付け部材と発光手段とをネジ止めするためのネジ，ナットなどの締結部品を不要にできることから、部品工数を低減することができる。その結果、部品工数を低減でき生産性を向上させた遊技機を提供できる。
【００６８】
（２）  前記（１）に記載の遊技機において、
前記取り付け部材は、前記凹部または前記凸部が形成された少なくとも２個の脚部を有し、前記脚部の前記凹部に前記発光手段の前記凸部を嵌合させるか、または、前記発光手段の前記凹部に前記脚部の前記凸部を嵌合させることで、前記脚部で前記発光手段を挟み込むものであることを特徴とする遊技機。
【００６９】
前記（２）に記載の発明によれば、取り付け部材は、凹部または凸部が形成された少なくとも２個の脚部を有し、脚部の凹部に発光手段の凸部を嵌合させるか、または、発光手段の凹部に脚部の凸部を嵌合させることで、脚部で発光手段を挟み込むものとしているので、取り付け部材は、発光手段を強固に保持することができ、発光手段の着脱の際には取り付け部の脚部間を僅かに広げるように力をかけることで発光手段の着脱が容易にできる。
【００７０】
（３）  前記（０）に記載の遊技機、または、前記（１）または（２）に記載の遊技機において、
前記発光手段は、発光部が所定位置に配設された基板であることを特徴とする遊技機。
【００７１】
前記（３）に記載の発明によれば、発光手段は、発光部が所定位置に配設された基板であるとしているので、発光手段つまり発光部が所定位置に配設された基板と、取り付け部材とを嵌合手段により嵌合させることができ、当該基板を取り付け部材に取り付けることができる。したがって、取り付け部材と当該基板とをネジ止めにより締結させて取り付けるという作業を不要にでき、当該ネジ止め作業の煩雑さを解消することができる。しかも、取り付け部材と当該基板とをネジ止めするためのネジ，ナットなどの締結部品を不要にできることから、部品工数を低減することができる。その結果、部品工数を低減でき生産性を向上させた遊技機を提供できる。
【００７２】
（４）  前記（３）に記載の遊技機において、
前記発光部は、発光ダイオードであることを特徴とする遊技機。
【００７３】
前記（４）に記載の発明によれば、発光部は発光ダイオードであるとしているので、発光ダイオードを備えた基板と取り付け部材とを嵌合手段により嵌合させることができ、当該基板を取り付け部材に取り付けることができる。したがって、取り付け部材と当該基板とをネジ止めにより締結させて取り付けるという作業を不要にでき、当該ネジ止め作業の煩雑さを解消することができる。しかも、取り付け部材と当該基板とをネジ止めするためのネジ，ナットなどの締結部品を不要にできることから、部品工数を低減することができる。その結果、部品工数を低減でき生産性を向上させた遊技機を提供できる。
【００７４】
（５）  前記（０）に記載の遊技機、または、前記（１）から（４）のいずれかに記載の遊技機において、
前記取り付け部材は、前記発光手段からの光を導光する導光部材であることを特徴とする遊技機。
【００７５】
前記（５）に記載の発明によれば、取り付け部材は、発光手段からの光を導光する導光部材であるとしているので、導光部材と発光手段とを嵌合手段により嵌合させることができ、発光手段を導光部材に取り付けることができる。したがって、導光部材と発光手段とをネジ止めにより締結させて取り付けるという作業を不要にでき、当該ネジ止め作業の煩雑さを解消することができる。しかも、導光部材と発光手段とをネジ止めするためのネジ，ナットなどの締結部品を不要にできることから、部品工数を低減することができる。その結果、部品工数を低減でき生産性を向上させた遊技機を提供できる。
【００７６】
（６）  前記（０）に記載の遊技機、または、前記（１）から（４）のいずれかに記載の遊技機において、
前記取り付け部材は、前記発光手段からの光を収束または発散させて出射するレンズ部材であることを特徴とする遊技機。
【００７７】
前記（６）に記載の発明によれば、取り付け部材は、発光手段からの光を収束または発散させて出射するレンズ部材であるとしているので、レンズ部材と発光手段とを嵌合手段により嵌合させることができ、発光手段をレンズ部材に取り付けることができる。したがって、レンズ部材と発光手段とをネジ止めにより締結させて取り付けるという作業を不要にでき、当該ネジ止め作業の煩雑さを解消することができる。しかも、レンズ部材と発光手段とをネジ止めするためのネジ，ナットなどの締結部品を不要にできることから、部品工数を低減することができる。その結果、部品工数を低減でき生産性を向上させた遊技機を提供できる。
【００７８】
（７）  前記（０）に記載の遊技機、または、前記（１）から（４）のいずれかに記載の遊技機において、
前記取り付け部材は、前記発光手段からの光を透過する透過性部材であることを特徴とする遊技機。
【００７９】
前記（７）に記載の発明によれば、取り付け部材は、発光手段からの光を透過する透過性部材であるとしているので、透過性部材と発光手段とを嵌合手段により嵌合させることができ、発光手段を透過性部材に取り付けることができる。したがって、透過性部材と発光手段とをネジ止めにより締結させて取り付けるという作業を不要にでき、当該ネジ止め作業の煩雑さを解消することができる。しかも、透過性部材と発光手段とをネジ止めするためのネジ，ナットなどの締結部品を不要にできることから、部品工数を低減することができる。その結果、部品工数を低減でき生産性を向上させた遊技機を提供できる。
【００８０】
（８）  前記（３）または（４）に記載の遊技機において、
前記取り付け部材は、前記基板と嵌合させた状態におけるこの基板の前記発光部の対応する箇所に貫通孔を有し、前記発光部からの光を前記貫通孔を通じて直接に外部に出射する、あるいは、貫通孔に前記発光部を挿入させて前記発光部からの光を直接に外部に出射するための部材であることを特徴とする遊技機。
【００８１】
前記（８）に記載の発明によれば、取り付け部材は、基板と嵌合させた状態におけるこの基板の発光部の対応する箇所に貫通孔を有し、発光部からの光を貫通孔を通じて直接に外部に出射する、あるいは、貫通孔に発光部を挿入させて発光部からの光を直接に外部に出射するための部材であるとしているので、取り付け部材と発光手段とを嵌合手段により嵌合させることができ、発光手段を取り付け部材に取り付けることができる。したがって、取り付け部材と発光手段とをネジ止めにより締結させて取り付けるという作業を不要にでき、当該ネジ止め作業の煩雑さを解消することができる。しかも、取り付け部材と発光手段とをネジ止めするためのネジ，ナットなどの締結部品を不要にできることから、部品工数を低減することができる。その結果、部品工数を低減でき生産性を向上させた遊技機を提供できる。
【００８２】
（９）  前記（０）に記載の遊技機、または、前記（１）から（８）のいずれかに記載の遊技機において、
図柄変動表示装置の表示画面の周囲を覆うようにして取り付けられる枠体を備え、
前記取り付け部材は前記枠体の所定位置に取り付けられることを特徴とする遊技機。
【００８３】
前記（９）に記載の発明によれば、図柄変動表示装置の表示画面の周囲を覆うようにして取り付けられる枠体を備え、取り付け部材は枠体の所定位置に取り付けられるので、発光手段が嵌合手段により嵌合された取り付け部材を枠体の所定位置に取り付けるだけでよい。つまり、嵌合手段により取り付け部材と発光手段とを嵌合させることができ、取り付け部材と発光手段とをネジ止めにより締結させて取り付けるという作業を不要にでき、当該ネジ止め作業の煩雑さを解消することができる。しかも、取り付け部材と発光手段とをネジ止めするためのネジ，ナットなどの締結部品を不要にできることから、部品工数を低減することができる。その結果、部品工数を低減でき生産性を向上させた遊技機を提供できる。
【００８４】
（１０）前記（０）に記載の遊技機、または、前記（１）から（９）のいずれかに記載の遊技機において、
前記遊技機はパチンコ機であることを特徴とする遊技機。
【００８５】
前記（１０）に記載の遊技機によれば、部品工数を低減でき生産性を向上させたパチンコ機を提供できる。なお、パチンコ機の基本構成としては操作ハンドルを備え、その操作ハンドルの操作に応じて遊技用媒体としての遊技球を所定の遊技領域発射し、遊技球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００８６】
（１１）前記（０）に記載の遊技機、または、前記（１）から（９）のいずれかに記載の遊技機において、
前記遊技機はスロットマシンであることを特徴とする遊技機。
【００８７】
前記（１１）の発明によれば、部品工数を低減でき生産性を向上させたスロットマシンを提供することができる。なお、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【００８８】
（１２）前記（０）に記載の遊技機、または、前記（１）から（９）のいずれかに記載の遊技機において、
前記遊技機はパチンコ機とスロットマシンとを融合させたものであることを特徴とする遊技機。
【００８９】
前記（１２）に記載の遊技機によれば、部品工数を低減でき生産性を向上させた、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として遊技球を使用するとともに、前記識別情報の動的表示の開始に際しては所定数の遊技球を必要とし、特別遊技状態の発生に際しては多くの遊技球が払い出されるように構成されている遊技機」となる。
【産業上の利用可能性】
【００９０】
以上のように、この発明は、パチンコ機等の遊技機に適している。
【符号の説明】
【００９１】
９  …  表示装置（図柄変動表示装置）
２１  …  センターフレーム（枠体）
２８  …  飾りレンズ（取り付け部材）
４６  …  発光ダイオード（発光部）
５１  …  レンズ部（レンズ部材）
６１  …  脚部
７０  …  嵌合部（嵌合手段）
７１  …  凹部
７２  …  凸部
８１  …  透過性部材
８２  …  貫通孔
８３  …  部材
８４  …  貫通孔
８５  …  部材
【図１】
2010137104.tif 000003
【図２】
2010137104.tif 000004
【図３】
2010137104.tif 000005
【図４】
2010137104.tif 000006
【図５】
2010137104.tif 000007
【図６】
2010137104.tif 000008
【図７】
2010137104.tif 000009
【図８】
2010137104.tif 000010
【図９】
2010137104.tif 000011
【図１０】
2010137104.tif 000012